(57)【要約】【課題】冷却器にかかる負担が大きいときにも処理対象の空気を好適に冷却する。【解決手段】上側端部ＴａからチューブＴ内に導入された冷却用の冷媒が蒸発器（冷却器）２５ａの下方（下側端部Ｔｂ）に向かってチューブＴ内を案内されるように蒸発器２５ａが配置されると共に、邪魔板１４が、上下方向の長さＬ１ａが仕切板１６の上下方向の長さＬ２ａよりも短く形成されて冷却用コアＣ２５ａの一方の面における上方部位を閉塞するように配設され、かつ仕切板１６が、冷却用コアＣ２５ａの他方の面における下方部位を閉塞するように配設され、冷却用コアＣ２５ａの一方の面における下方部位（開口部１４ａ）からチューブＴおよびフィンＦの間に進入させられた空気が冷却用コアＣ２５ａ内を上方に向かって移動して冷却用コアＣ２５ａの他方の面における上方部位（通気口１６ａ）から排出されるようにケーシング１０内に導風路が形成されている。【選択図】図２
2015055416.tif 000002
【特許請求の範囲】
【請求項１】
螺旋状または葛折り状に形成されて一端部から他端部に冷却用冷媒を案内する冷却用冷媒配管、および前記冷却用冷媒配管の外周面に接するように配設された冷却用フィンを有して厚板状の冷却用コアが形成されると共に、前記冷却用コアの一方の面側の空気が前記冷却用冷媒配管および前記冷却用フィンの間を通過して当該冷却用コアの他方の面側に移動させられるときに当該空気と当該冷却用冷媒配管内を案内されている前記冷却用冷媒とを当該冷却用冷媒配管および当該冷却用フィンを介して相互に熱交換させることで当該空気を冷却可能に構成された冷却器と、
前記冷却用コアの前記一方の面に配設された第１の風向規制板と、
前記冷却用コアの前記他方の面に配設された第２の風向規制板とを備え、
前記冷却器は、前記冷却用冷媒配管の前記一端部が当該冷却用冷媒配管の前記他端部よりも上方に位置させられて前記冷却用冷媒が当該冷却器の下方に向かって当該冷却用冷媒配管内を案内されるように配置され、
前記第１の風向規制板は、上下方向の第１の長さが前記第２の風向規制板の上下方向の第２の長さよりも短く形成されて前記冷却用コアの前記一方の面における上方部位を閉塞するように配設され、
前記第２の風向規制板は、前記冷却用コアの前記他方の面における下方部位を閉塞するように配設され、
前記冷却用コアの前記一方の面における下方部位から前記冷却用冷媒配管および前記冷却用フィンの間に進入させられた空気が当該冷却用コア内を上方に向かって移動して当該冷却用コアの前記他方の面における上方部位から排出されるように導風路が形成されている冷却装置。
【請求項２】
前記第２の風向規制板は、前記第２の長さが前記冷却用コアの上下方向の第３の長さの１／２以上となるように形成されている請求項１記載の冷却装置。
【請求項３】
前記第１の風向規制板および前記第２の風向規制板は、前記第１の長さと前記第２の長さとの和が前記第３の長さよりも長くなるように形成されて当該第１の風向規制板における下端部側部位と当該第２の風向規制板における上端部側部位とが前記冷却用コアの厚み方向で重なるように配設されている請求項２記載の冷却装置。
【請求項４】
請求項１から３のいずれかに記載の冷却装置と、
螺旋状または葛折り状に形成されて一端部から他端部に加熱用冷媒を案内する加熱用冷媒配管、および前記加熱用冷媒配管の外周面に接するように配設された加熱用フィンを有して厚板状の加熱用コアが形成されると共に、前記加熱用コアの一方の面側の空気が前記加熱用冷媒配管および前記加熱用フィンの間を通過して当該加熱用コアの他方の面側に移動させられるときに当該空気と当該加熱用冷媒配管内を案内されている前記加熱用冷媒とを当該加熱用冷媒配管および当該加熱用フィンを介して相互に熱交換させることで当該空気を加熱可能に構成された加熱器を有する加熱装置とを備え、
前記冷却用コアの前記他方の面と、前記加熱用コアの前記一方の面とが前記第２の風向規制板を挟んで対向するように前記冷却器および前記加熱器が配設されて当該冷却器によって冷却した空気を当該加熱器によって加熱して供給対象に供給可能に構成されている温調装置。
【請求項５】
前記加熱装置は、前記加熱用コアの前記他方の面に配設された第３の風向規制板を備え、
前記加熱器は、前記加熱用冷媒配管の前記一端部が当該加熱用冷媒配管の前記他端部よりも下方に位置させられて前記加熱用冷媒が当該加熱器の上方に向かって当該加熱用冷媒配管内を案内されるように配置され、
前記第３の風向規制板は、前記加熱用コアの前記他方の面における下方部位と対向する位置に前記加熱器によって加熱した空気を排出する排出口が形成されている請求項４記載の温調装置。
【請求項６】
前記第２の風向規制板と前記加熱用コアの前記一方の面との間に空間が形成されている請求項４または５記載の温調装置。
【請求項７】
前記第２の風向規制板は、前記加熱用コアに向けて上端部側部位が折り曲げられている請求項６記載の温調装置。
【請求項８】
請求項４から７のいずれかに記載の温調装置と、
前記冷却装置および前記加熱装置の順で通過するように前記空気を送風する送風機とを備えて構成されている温調除湿システム。
【発明の詳細な説明】
【技術分野】
【０００１】
本発明は、冷却用コアの一方の面側の空気が冷却用コアを通過して他方の面側に移動させられるときに冷却用冷媒配管および冷却用フィンの間を通過させられている空気と冷却用冷媒配管内の冷却用冷媒とを相互に熱交換させて空気を冷却可能な冷却器を備えて構成された冷却装置、温調装置および温調除湿システムに関するものである。
【背景技術】
【０００２】
例えば、下記の特許文献には、除湿および温調した空気を供給対象に供給可能に構成された除湿加温装置３ｘ（以下、従来の「除湿加温装置」に関連する各構成要素については、符号の末尾に「ｘ」を付して説明する）が開示されている。この除湿加温装置３ｘは、図７に示すように、ヒートポンプ装置２２ｘにおける蒸発器（冷却器）２１ｘおよび凝縮器（加熱器）２０ｘが並んで配設されている。この除湿加温装置３ｘは、風回路２３ｘによって案内された空気を蒸発器２１ｘにおいて冷却することで空気中に含まれている水分を結露させて除湿した後に、凝縮器２０ｘによって目標温度まで加熱した状態で供給対象（具体的には、供給した空気によって乾燥させる衣類を収容可能な衣類収容部）に供給可能に構成されている。
【０００３】
この場合、蒸発器２１ｘは、複数枚のフィンＦｘおよびチューブＴｘを有して厚板状に形成された冷却用コアＣ２１ｘを有するフィンチューブ型の熱交換器で構成されて空気の移動方向における上流側（風上側）に配置されている。また、凝縮器２０ｘは、複数枚のフィンＦｘおよびチューブＴｘを有して厚板状に形成された加熱用コアＣ２０ｘを有するフィンチューブ型の熱交換器で構成されて空気の移動方向における下流側（風下側）に配置されている。さらに、この除湿加温装置３ｘでは、蒸発器２１ｘの上下方向の長さが凝縮器２０ｘの上下方向の長さよりも長くなるように形成されると共に、蒸発器２１ｘの下端部（重力方向端）が凝縮器２０ｘの下端部（重力方向端）よりも下方に位置するように配置され、これにより、蒸発器２１ｘの下方にドレン水を貯留可能なドレンパン１７０ｘが形成されている。
【０００４】
この除湿加温装置３ｘによって除湿および温調した空気を供給対象に供給する際には、ヒートポンプ装置２２ｘ、および送風機（図示せず）を作動させる。この際には、送風機によって送風された空気が風回路２３ｘを介して蒸発器２１ｘに案内され、冷却用コアＣ２１ｘの厚み方向に沿って蒸発器２１ｘを通過させられた後に、加熱用コアＣ２０ｘの厚み方向に沿って凝縮器２０ｘを通過させられて供給対象に供給される。また、ヒートポンプ装置２２ｘの作動により、圧縮機によって圧縮された冷媒が凝縮器２０ｘに圧送されて凝縮させられる。この際には、圧縮機から圧送された高温の冷媒によって凝縮器２０ｘのフィンＦｘやチューブＴｘが温度上昇する結果、後述するように蒸発器２１ｘによって冷却された後に凝縮器２０ｘを通過させられている空気が加熱されて目標温度まで温度上昇させられる。
【０００５】
一方、凝縮器２０ｘにおいて凝縮させられた冷媒は、膨張弁を通過させられた後に蒸発器２１ｘに供給される。この際には、冷媒の断熱膨張によって蒸発器２１ｘのフィンＦｘやチューブＴｘが温度低下する結果、蒸発器２１ｘを通過させられている空気が冷却されて空気中の水分がドレン水（結露水）として除去される。この際に、空気から除去されたドレン水は、フィンＦｘを伝ってドレンパン１７０ｘに滴り落ち、図示しないドレン水排出口から除湿加温装置３ｘの外に排水される。また、蒸発器２１ｘにおいて水分を除去された（除湿された）低温低湿の空気は、上記したように凝縮器２０ｘを通過させられる際に目標温度まで温度上昇させられる。これにより、除湿および温調された空気が除湿加温装置３ｘから供給対象に供給される。
【先行技術文献】
【特許文献】
【０００６】
【特許文献１】特開２００８−７３４０７号公報（第６−８頁、第１−６図）
【発明の概要】
【発明が解決しようとする課題】
【０００７】
ところが、従来の除湿加温装置３ｘには、以下の解決すべき問題点が存在する。すなわち、従来の除湿加温装置３ｘでは、風回路２３ｘによって案内された空気が、冷却用コアＣ２１ｘの厚み方向に沿って蒸発器２１ｘを通過させられる際に空気が冷却されて水分が除去され、その後に、加熱用コアＣ２０ｘの厚み方向に沿って凝縮器２０ｘを通過させられる際に加熱されて目標温度まで温度上昇させられて供給対象に供給される構成が採用されている。
【０００８】
この場合、上記の特許文献中には具体的な記載は存在しないが、この種の装置では、膨張弁を介して蒸発器２１ｘの冷却用コアＣ２１ｘに圧送された冷媒が、例えば上側端部ＴａｘからチューブＴｘ内に供給されたときには、下側端部Ｔｂｘに向かって矢印Ｄｘの向きでチューブＴｘ内を移動する冷媒が、冷却用コアＣ２１ｘを通過させられている空気との熱交換によって徐々に温度上昇するため、冷却用コアＣ２１ｘの上方側部位よりも下方側部位の方が高温となる。
【０００９】
したがって、上側端部ＴａｘからチューブＴｘ内に冷媒を供給する構成が採用されているときには、蒸発器２１ｘに案内される空気の温度が高いときや、蒸発器２１ｘに案内される空気の量が多いとき、すなわち、蒸発器２１ｘにかかる負担が大きいときに、冷却用コアＣ２１ｘの下方側部位において空気を好適に冷却するのが困難となることがある。かかる状態では、図７に矢印Ａ１ｘで示すように蒸発器２１ｘ（冷却用コアＣ２１ｘ）の上方側部位を通過させられる空気については、十分に冷却することができるものの、矢印Ａ２ｘで示すように蒸発器２１ｘ（冷却用コアＣ２１ｘ）の下方側部位を通過させられる空気については、十分な冷却が困難となる。
【００１０】
一方、膨張弁を介して蒸発器２１ｘの冷却用コアＣ２１ｘに圧送された冷媒が、例えば下側端部ＴｂｘからチューブＴｘ内に供給されたときには、上側端部Ｔａｘに向かって矢印Ｕｘの向きでチューブＴｘ内を移動する冷媒が冷却用コアＣ２１ｘを通過させられている空気との熱交換によって徐々に温度上昇するため、冷却用コアＣ２１ｘの下方側部位よりも上方側部位の方が高温となる。
【００１１】
したがって、下側端部ＴｂｘからチューブＴｘ内に冷媒を供給する構成が採用されているときには、蒸発器２１ｘにかかる負担が大きいときに、冷却用コアＣ２１ｘの上方側部位において空気を好適に冷却するのが困難となることがある。かかる状態では、矢印Ａ２ｘで示すように蒸発器２１ｘ（冷却用コアＣ２１ｘ）の下方側部位を通過させられる空気については、十分に冷却することができるものの、矢印Ａ１ｘで示すように蒸発器２１ｘ（冷却用コアＣ２１ｘ）の上方側部位を通過させられる空気については、十分な冷却が困難となる。
【００１２】
このように、従来の除湿加温装置３ｘには、蒸発器（冷却器）２１ｘにかかる負担が大きいときに、冷却用コアＣ２１ｘの下方側部位（上側端部ＴａｘからチューブＴｘ内に冷媒が供給される構成が採用されているとき）、または、冷却用コアＣ２１ｘの上方側部位（下側端部ＴｂｘからチューブＴｘ内に冷媒が供給される構成が採用されているとき）において空気を好適に冷却するのが困難となることに起因して、目標とする温度範囲よりも高温の空気が蒸発器２１ｘから凝縮器２０ｘに向けて排出されることがあるという問題点が存在する。
【００１３】
本発明は、かかる解決すべき問題点に鑑みてなされたものであり、冷却器にかかる負担が大きいときであっても処理対象の空気を好適に冷却し得る冷却装置、温調装置および温調除湿システムを提供することを主目的とする。
【課題を解決するための手段】
【００１４】
上記目的を達成すべく、請求項１記載の冷却装置は、螺旋状または葛折り状に形成されて一端部から他端部に冷却用冷媒を案内する冷却用冷媒配管、および前記冷却用冷媒配管の外周面に接するように配設された冷却用フィンを有して厚板状の冷却用コアが形成されると共に、前記冷却用コアの一方の面側の空気が前記冷却用冷媒配管および前記冷却用フィンの間を通過して当該冷却用コアの他方の面側に移動させられるときに当該空気と当該冷却用冷媒配管内を案内されている前記冷却用冷媒とを当該冷却用冷媒配管および当該冷却用フィンを介して相互に熱交換させることで当該空気を冷却可能に構成された冷却器と、前記冷却用コアの前記一方の面に配設された第１の風向規制板と、前記冷却用コアの前記他方の面に配設された第２の風向規制板とを備え、前記冷却器は、前記冷却用冷媒配管の前記一端部が当該冷却用冷媒配管の前記他端部よりも上方に位置させられて前記冷却用冷媒が当該冷却器の下方に向かって当該冷却用冷媒配管内を案内されるように配置され、前記第１の風向規制板は、上下方向の第１の長さが前記第２の風向規制板の上下方向の第２の長さよりも短く形成されて前記冷却用コアの前記一方の面における上方部位を閉塞するように配設され、前記第２の風向規制板は、前記冷却用コアの前記他方の面における下方部位を閉塞するように配設され、前記冷却用コアの前記一方の面における下方部位から前記冷却用冷媒配管および前記冷却用フィンの間に進入させられた空気が当該冷却用コア内を上方に向かって移動して当該冷却用コアの前記他方の面における上方部位から排出されるように導風路が形成されている。
【００１５】
請求項２記載の冷却装置は、請求項１記載の冷却装置において、前記第２の風向規制板は、前記第２の長さが前記冷却用コアの上下方向の第３の長さの１／２以上となるように形成されている。
【００１６】
請求項３記載の冷却装置は、請求項２記載の冷却装置において、前記第１の風向規制板および前記第２の風向規制板は、前記第１の長さと前記第２の長さとの和が前記第３の長さよりも長くなるように形成されて当該第１の風向規制板における下端部側部位と当該第２の風向規制板における上端部側部位とが前記冷却用コアの厚み方向で重なるように配設されている。
【００１７】
請求項４記載の温調装置は、請求項１から３のいずれかに記載の冷却装置と、螺旋状または葛折り状に形成されて一端部から他端部に加熱用冷媒を案内する加熱用冷媒配管、および前記加熱用冷媒配管の外周面に接するように配設された加熱用フィンを有して厚板状の加熱用コアが形成されると共に、前記加熱用コアの一方の面側の空気が前記加熱用冷媒配管および前記加熱用フィンの間を通過して当該加熱用コアの他方の面側に移動させられるときに当該空気と当該加熱用冷媒配管内を案内されている前記加熱用冷媒とを当該加熱用冷媒配管および当該加熱用フィンを介して相互に熱交換させることで当該空気を加熱可能に構成された加熱器を有する加熱装置とを備え、前記冷却用コアの前記他方の面と、前記加熱用コアの前記一方の面とが前記第２の風向規制板を挟んで対向するように前記冷却器および前記加熱器が配設されて当該冷却器によって冷却した空気を当該加熱器によって加熱して供給対象に供給可能に構成されている。
【００１８】
請求項５記載の温調装置は、請求項４記載の温調装置において、前記加熱装置は、前記加熱用コアの前記他方の面に配設された第３の風向規制板を備え、前記加熱器は、前記加熱用冷媒配管の前記一端部が当該加熱用冷媒配管の前記他端部よりも下方に位置させられて前記加熱用冷媒が当該加熱器の上方に向かって当該加熱用冷媒配管内を案内されるように配置され、前記第３の風向規制板は、前記加熱用コアの前記他方の面における下方部位と対向する位置に前記加熱器によって加熱した空気を排出する排出口が形成されている。
【００１９】
請求項６記載の温調装置は、請求項４または５記載の温調装置において、前記第２の風向規制板と前記加熱用コアの前記一方の面との間に空間が形成されている。
【００２０】
請求項７記載の温調装置は、請求項６記載の温調装置において、前記第２の風向規制板は、前記加熱用コアに向けて上端部側部位が折り曲げられている。
【００２１】
請求項８記載の温調除湿システムは、請求項４から７のいずれかに記載の温調装置と、前記冷却装置および前記加熱装置の順で通過するように前記空気を送風する送風機とを備えて構成されている。
【発明の効果】
【００２２】
請求項１記載の冷却装置では、冷却用冷媒配管の一端部が冷却用冷媒配管の他端部よりも上方に位置させられて冷却用冷媒が冷却器の下方に向かって冷却用冷媒配管内を案内されるように冷却器が配置され、かつ上下方向の第１の長さが第２の風向規制板の上下方向の第２の長さよりも短く形成された第１の風向規制板が冷却用コアの一方の面における上方部位を閉塞するように配設されると共に、第２の風向規制板が冷却用コアの他方の面における下方部位を閉塞するように配設され、冷却用コアの一方の面における下方部位から冷却用冷媒配管および冷却用フィンの間に進入させられた空気が冷却用コア内を上方に向かって移動して冷却用コアの他方の面における上方部位から排出されるように導風路が形成されている。
【００２３】
したがって、請求項１記載の冷却装置によれば、冷却器にかかる負担が大きく、冷却用冷媒配管における他端部の近傍（冷却用コアの下方部位）において空気を好適に冷却するのが困難な状態となったとしても、第１の風向規制板および第２の風向規制板によって冷却用コアの下方部位から上方部位に向かって空気が案内されるため、冷却用コアの上方部位において空気を好適に冷却することができる。また、冷却用コアの他方の面における下端部側部位に第２の風向規制板を設けたことで、冷却用コアによる冷却によってドレン水（結露水）が生じたときに、このドレン水が冷却用コアの他方の面側に排出される事態を好適に回避することができる。
【００２４】
また、請求項２記載の冷却装置によれば、第２の風向規制板の第２の長さが冷却用コアの上下方向の第３の長さの１／２以上となるように形成したことにより、冷却用コアの一方の面から冷却用冷媒配管および冷却用フィンの間に進入させられた空気を冷却用コアの上方に向かって確実に案内することができる。
【００２５】
さらに、請求項３記載の冷却装置によれば、第１の長さと第２の長さとの和が第３の長さよりも長くなるように第１の風向規制板および第２の風向規制板を形成すると共に、第１の風向規制板における下端部側部位と第２の風向規制板における上端部側部位とが冷却用コアの厚み方向で重なるように第１の風向規制板および第２の風向規制板を配設したことにより、冷却用コアの一方の面から冷却用冷媒配管および冷却用フィンの間に進入させられた空気が冷却用コアの厚み方向で冷却用コアを通過して他方の面に排出される事態を招くことなく、冷却用冷媒配管および冷却用フィンの間を冷却用コアの上方に向かって確実に移動させて他方の面側に排出させることができる。
【００２６】
また、請求項４記載の温調装置では、冷却装置の冷却器における冷却用コアの他方の面と、加熱装置の加熱器における加熱用コアの一方の面とを第２の風向規制板を挟んで対向するように冷却器および加熱器が配設されている。また、請求項８記載の温調除湿システムでは、上記のいずれかの温調装置と、冷却装置および加熱装置の順で通過するように空気を送風する送風機とを備えている。したがって、請求項４記載の温調装置、および請求項８記載の温調除湿システムによれば、冷却装置によって冷却除湿した空気を目的に応じて加熱装置によって加熱することで温度調整した状態で供給対象体に供給することができる。
【００２７】
請求項５記載の温調装置によれば、加熱用冷媒配管の一端部を加熱用冷媒配管の他端部よりも下方に位置させて加熱用冷媒が加熱器の上方に向かって加熱用冷媒配管内を案内されるように加熱器を配置すると共に、第３の風向規制板において加熱用コアの他方の面における下方部位と対向する位置に加熱器によって加熱した空気を排出する排出口を形成したことにより、加熱器（加熱用コア）の上端部から下端部までの全域において、加熱用冷媒配管内の冷媒と、加熱用冷媒配管および各加熱用フィンの周囲の空気との間で好適に熱交換させ、処理対象の空気を確実に加熱することができる。
【００２８】
請求項６記載の温調装置によれば、第２の風向規制板と加熱用コアの一方の面との間に空間を形成したことにより、第２の風向規制板の上方から空間に排出された空気が空間の上方部位から下方部位の全域に拡がった後に加熱器（加熱用コア）の加熱用冷媒配管および各加熱用フィンの間に進入させられるため、加熱用コアの上方部位から下方部位までの全域において加熱用冷媒配管内の冷媒と加熱用冷媒配管および各加熱用フィンの周囲の空気との間で好適に熱交換させ、処理対象の空気を一層確実に加熱することができる。
【００２９】
請求項７記載の温調装置によれば、第２の風向規制板における上端部側部位を加熱用コアに向けて折り曲げたことにより、冷却器（冷却用コア）による冷却を完了した空気を空間内にスムーズに排出することができる。
【図面の簡単な説明】
【００３０】
【図１】本発明の実施の形態に係る温調除湿システム１の構成を示す構成図である。
【図２】本発明の実施の形態に係る温調除湿システム１における除湿装置３ａの構成を示す断面図である。
【図３】本発明の実施の形態に係る温調除湿システム１における熱交換装置３ｂの構成を示す断面図である。
【図４】本発明の他の実施の形態に係る温調除湿システム１Ａの構成を示す構成図である。
【図５】本発明の他の実施の形態に係る除湿装置３ｄの構成を示す断面図である。
【図６】本発明の他の実施の形態に係る冷却装置３ｅの構成を示す断面図である。
【図７】従来の除湿加温装置３ｘの構成を示す断面図である。
【発明を実施するための形態】
【００３１】
以下、添付図面を参照して、本発明に係る冷却装置、温調装置および温調除湿システムの実施の形態について説明する。
【００３２】
図１に示す温調除湿システム１は、「温調除湿システム」の一例であって、ヒートポンプ２、除湿装置３ａ、送風機４ａ，４ｂおよびコントローラ５を備え、目標温度範囲内の温度で、かつ目標湿度範囲内の湿度となるように温調除湿した空気を図示しない供給対象に供給することができるように構成されている。
【００３３】
ヒートポンプ２は、圧縮機２１、調整弁２２ａ，２２ｂ、凝縮器２３ａ，２３ｂ、膨張弁２４ａ，２４ｂおよび蒸発器２５ａ，２５ｂを備えて構成されている。圧縮機２１は、コントローラ５の制御に従って冷媒を圧縮して吐出する。調整弁２２ａ，２２ｂは、一例として流量可変型の電子弁で構成され、圧縮機２１によって圧縮された冷媒の凝縮器２３ａ，２３ｂに対する流量をコントローラ５の制御に従って調整する。凝縮器２３ａ，２３ｂは、圧縮機２１によって圧縮された冷媒と周囲の空気との間で熱交換させることで冷媒を凝縮させる。
【００３４】
この場合、凝縮器２３ａは、図３に示すように、螺旋状に形成されて下側端部Ｔｂ（「一端部」の一例）から上側端部Ｔａ（「他端部」の一例）に冷媒を案内するチューブＴ（「加熱用冷媒配管」の一例）と、チューブＴの外周面に接するように配設されたフィンＦ（「加熱用フィン」の一例）とを有して厚板状の加熱用コアＣ２３ａが形成されている。また、凝縮器２３ｂは、「加熱器」の一例であって、図２に示すように、上記の凝縮器２３ａと同様にして、螺旋状に形成されて下側端部Ｔｂから上側端部Ｔａに冷媒を案内するチューブＴと、チューブＴの外周面に接するように配設されたフィンＦとを有して厚板状の加熱用コアＣ２３ｂが形成されている。
【００３５】
膨張弁２４ａ，２４ｂは、一例として、キャピラリチューブで構成されると共に、凝縮器２３ａ，２３ｂにおいて凝縮された冷媒を蒸発器２５ａ，２５ｂ内に向けてそれぞれ吐出する。なお、上記の膨張弁２４ａ，２４ｂに代えて電子膨張弁で構成された「膨張弁」を採用することもできる。蒸発器２５ａ，２５ｂは、膨張弁２４ａ，２４ｂから吐出された冷媒と周囲の空気との間で熱交換させることで、周囲の空気を冷却する。
【００３６】
この場合、蒸発器２５ａは、「冷却器」の一例であって、図２に示すように、螺旋状に形成されて上側端部Ｔａ（「一端部」の一例）から下側端部Ｔｂ（「他端部」の一例）に冷媒を案内するチューブＴ（「冷却用冷媒配管」の一例）と、チューブＴの外周面に接するように配設されたフィンＦ（「冷却用フィン」の一例）とを有して厚板状の冷却用コアＣ２５ａが形成されている。また、蒸発器２５ｂは、「冷却器」の他の一例であって、図３に示すように、上記の蒸発器２５ａと同様にして、螺旋状に形成されて上側端部Ｔａから下側端部Ｔｂに冷媒を案内するチューブＴと、チューブＴの外周面に接するように配設されたフィンＦとを有して厚板状の冷却用コアＣ２５ｂが形成されている。
【００３７】
なお、後述するように、本例の温調除湿システム１では、ヒートポンプ２の各構成要素のうちの蒸発器２５ａがケーシング１０（図２参照）などと相俟って「冷却装置」を構成すると共に、この「冷却装置」と凝縮器２３ｂとが相俟って「温調装置」を構成する。この場合、本例のヒートポンプ２では、圧縮機２１、調整弁２２ａ、凝縮器２３ａおよび膨張弁２４ａが、「冷却器」としての蒸発器２５ａに「冷却用冷媒」を供給するための冷熱源を構成すると共に、圧縮機２１、調整弁２２ｂ、膨張弁２４ｂおよび蒸発器２５ｂが、「加熱器」としての凝縮器２３ｂに「加熱用冷媒」を供給するための温熱源を構成する。
【００３８】
また、本例の温調除湿システム１では、ヒートポンプ２の各構成要素のうちの蒸発器２５ｂがケーシング３０（図３参照）などと相俟って「供給対象」の一例である凝縮器２３ａに冷気を供給するための「冷却装置」を構成する。この場合、本例のヒートポンプ２では、圧縮機２１、調整弁２２ｂ、凝縮器２３ｂおよび膨張弁２４ｂが、「冷却器」としての蒸発器２５ｂに「冷却用冷媒」を供給するための冷熱源を構成する。なお、以下の説明においては、上記の凝縮器２３ａ、蒸発器２５ｂおよびケーシング３０等からなる要素を熱交換装置３ｂという。この熱交換装置３ｂは、除湿装置３ａにおける「冷却装置」を構成する上記の蒸発器２５ａに「冷却用冷媒」を供給するための凝縮器２３ａにおいて冷媒を好適に凝縮させる（凝縮効率を向上させる）ために凝縮器２３ａの周囲に蒸発器２５ｂによって冷却した低温の空気を供給するための装置であって、図３に示すように、蒸発器２５ｂおよび凝縮器２３ａがケーシング３０内に収容されて構成されている。
【００３９】
この場合、この熱交換装置３ｂでは、膨張弁２４ｂを介して蒸発器２５ｂに供給される冷媒がチューブＴの上側端部Ｔａから下側端部Ｔｂに向かって（蒸発器２５ｂの下方に向かって）矢印Ｄｂの向きでチューブＴ内を案内されるように蒸発器２５ｂがケーシング３０内に立設されている（「冷却用冷媒」が導入される「冷却用冷媒配管の一端部」が「冷却用冷媒配管の他端部」よりも上方に位置するような配置の一例）。また、この熱交換装置３ｂでは、調整弁２２ａを介して凝縮器２３ａに供給される冷媒がチューブＴの下側端部Ｔｂから上側端部Ｔａに向かって（凝縮器２３ａの上方に向かって）矢印Ｕｂの向きでチューブＴ内を案内されるように凝縮器２３ａがケーシング３０内に立設されている。
【００４０】
また、ケーシング３０は、底板３１、天板３２、側板３３、邪魔板３４、背板３５および仕切板３６を備えて構成されている。なお、この熱交換装置３ｂでは、邪魔板３４が、「第１の風向規制板」に相当して、蒸発器２５ｂにおける冷却用コアＣ２５ｂの一方の面（図３における右方の面）に対向配置されている。また、この熱交換装置３ｂでは、仕切板３６が、「第２の風向規制板」に相当して、冷却用コアＣ２５ｂの他方の面（図３における左方の面）に対向配置されている。この場合、仕切板３６は、その上端部側部位が加熱用コアＣ２３ａに向けて折り曲げられている。
【００４１】
また、この熱交換装置３ｂでは、邪魔板３４の上下方向の長さＬ１ｂ（「第１の長さ」の一例）が、仕切板３６の上下方向の長さＬ２ｂ（「第２の長さ」の一例）よりも短く形成されると共に、冷却用コアＣ２５ｂの上記の一方の面における上方部位を閉塞するように邪魔板３４が配設され、この邪魔板３４の下方（邪魔板３４の下端部と底板３１との間）に開口部３４ａが形成されている。さらに、この熱交換装置３ｂでは、冷却用コアＣ２５ｂの上記の他方の面における下方部位を閉塞するように仕切板３６が配設され、この仕切板３６の上方（仕切板３６の上端部と天板３２との間）に通気口３６ａが形成されている。
【００４２】
また、この熱交換装置３ｂでは、仕切板３６の長さＬ２ｂが冷却用コアＣ２５ｂの上下方向の長さＬ３ｂ（「第３の長さ」の一例）の１／２以上となるように形成されると共に、邪魔板３４の長さＬ１ｂと仕切板３６の長さＬ２ｂとの和が冷却用コアＣ２５ｂの長さＬ３ｂよりも長くなるように形成されている。さらに、この熱交換装置３ｂでは、邪魔板３４における下端部側部位と仕切板３６における上端部側部位とが冷却用コアＣ２５ｂの厚み方向（同図における左右方向）で長さＬ４ｂだけ重なるように邪魔板３４および仕切板３６が配設されている。
【００４３】
これにより、この熱交換装置３ｂでは、冷却用コアＣ２５ｂの一方の面における下方部位（開口部３４ａ）から冷却用コアＣ２５ｂのチューブＴおよび各フィンＦの間に進入させられた空気が冷却用コアＣ２５ｂ内を上方に向かって矢印Ａｂで示すように移動して冷却用コアＣ２５ｂの他方の面における上方部位（通気口３６ａ）から排出されるようにケーシング３０内に導風路が形成されている。この場合、この熱交換装置３ｂでは、前述したように、冷却用コアＣ２５ｂのチューブＴに対して上側端部Ｔａから冷媒が導入されて冷却用コアＣ２５ｂの下方に向かってチューブＴ内を移動させられる。したがって、この熱交換装置３ｂでは、上方から下方に向かう冷媒の流れと、下方から上方に向かう空気の流れとが冷却用コアＣ２５ｂ内において対向する（対向流が形成される）こととなる。
【００４４】
また、この熱交換装置３ｂでは、冷却用コアＣ２５ｂの上記の他方の面に配設された仕切板３６と、加熱用コアＣ２３ａの一方の面（同図における右方の面）との間に空間Ｓｂが形成されると共に、加熱用コアＣ２３ａの他方の面（同図における左方の面）に対向配置されている背板３５に排出口３５ａが形成され、この排出口３５ａに送風機４ｂが取り付けられている。これにより、この熱交換装置３ｂでは、通気口３６ａから空間Ｓｂに排出された空気が加熱用コアＣ２３ａを矢印Ｂｂで示すように通過させられて排出口３５ａからケーシング３０の外部に排出されるようにケーシング３０内に導風路が形成されている。
【００４５】
一方、前述したように、除湿装置３ａは、「温調装置」の一例であって、供給対象（一例として、半導体製造装置等の製造装置や医療機械等）に目標とする湿度範囲内で、かつ目標とする温度範囲内に湿度温調した空気を供給可能に構成されている。この除湿装置３ａは、図２に示すように、蒸発器２５ａおよび凝縮器２３ｂがケーシング１０内に収容されて構成されている。この場合、この除湿装置３ａでは、蒸発器２５ａおよびケーシング１０が相俟って「冷却装置」を構成すると共に、凝縮器２３ｂおよびケーシング１０が相俟って「加熱装置」を構成する。
【００４６】
また、この除湿装置３ａでは、膨張弁２４ａを介して蒸発器２５ａに供給される冷媒がチューブＴの上側端部Ｔａから下側端部Ｔｂに向かって（蒸発器２５ａの下方に向かって）矢印Ｄａの向きでチューブＴ内を案内されるように蒸発器２５ａがケーシング１０内に立設されている（「冷却用冷媒」が導入される「冷却用冷媒配管の一端部」が「冷却用冷媒配管の他端部」よりも上方に位置するような配置の一例）。さらに、この除湿装置３ａでは、調整弁２２ｂを介して凝縮器２３ｂに供給される冷媒がチューブＴの下側端部Ｔｂから上側端部Ｔａに向かって（凝縮器２３ｂの上方に向かって）矢印Ｕａの向きでチューブＴ内を案内されるように凝縮器２３ｂがケーシング１０内に立設されている（「冷却用冷媒」が導入される「冷却用冷媒配管の一端部」が「冷却用冷媒配管の他端部」よりも下方に位置するような配置の一例）。
【００４７】
また、ケーシング１０は、底板１１、天板１２、側板１３、邪魔板１４、背板１５および仕切板１６を備えて構成されている。なお、この除湿装置３ａでは、邪魔板１４が、「第１の風向規制板」に相当して、蒸発器２５ａにおける冷却用コアＣ２５ａの一方の面（図２における左方の面）に対向配置されている。また、この除湿装置３ａでは、仕切板１６が、「第２の風向規制板」に相当して、冷却用コアＣ２５ａの他方の面（図２における右方の面）に対向配置されている。この場合、仕切板１６は、その上端部側部位が加熱用コアＣ２３ｂに向けて折り曲げられている。さらに、この除湿装置３ａでは、背板１５が、「第３の風向規制板」に相当して、加熱用コアＣ２３ｂの他方の面（図２における右方の面）に対向配置されている。
【００４８】
この場合、この除湿装置３ａでは、邪魔板１４の上下方向の長さＬ１ａ（「第１の長さ」の一例）が、仕切板１６の上下方向の長さＬ２ａ（「第２の長さ」の一例）よりも短く形成されると共に、冷却用コアＣ２５ａの上記の一方の面における上方部位を閉塞するように邪魔板１４が配設され、この邪魔板１４の下方（邪魔板１４の下端部と底板１１との間）に開口部１４ａが形成されている。また、この除湿装置３ａでは、冷却用コアＣ２５ａの上記の他方の面における下方部位を閉塞するように仕切板１６が配設され、この仕切板１６の上方（仕切板１６の上端部と天板１２との間）に通気口１６ａが形成されている。
【００４９】
また、この除湿装置３ａでは、仕切板１６の長さＬ２ａが冷却用コアＣ２５ａの上下方向の長さＬ３ａ（「第３の長さ」の一例）の１／２以上となるように形成されると共に、邪魔板１４の長さＬ１ａと仕切板１６の長さＬ２ａとの和が冷却用コアＣ２５ａの長さＬ３ａよりも長くなるように形成されている。さらに、この除湿装置３ａでは、邪魔板１４における下端部側部位と仕切板１６における上端部側部位とが冷却用コアＣ２５ａの厚み方向（同図における左右方向）で長さＬ４ａだけ重なるように邪魔板１４および仕切板１６が配設されている。
【００５０】
これにより、この除湿装置３ａでは、冷却用コアＣ２５ａの一方の面における下方部位（開口部１４ａ）から冷却用コアＣ２５ａのチューブＴおよび各フィンＦの間に進入させられた空気が冷却用コアＣ２５ａ内を上方に向かって矢印Ａａで示すように移動して冷却用コアＣ２５ａの他方の面における上方部位（通気口１６ａ）から排出されるようにケーシング１０内に導風路が形成されている。この場合、この除湿装置３ａでは、前述したように、冷却用コアＣ２５ａのチューブＴに対して上側端部Ｔａから冷媒が導入されて冷却用コアＣ２５ａの下方に向かってチューブＴ内を移動させられる。したがって、この除湿装置３ａでは、上方から下方に向かう冷媒の流れと、下方から上方に向かう空気の流れとが冷却用コアＣ２５ａ内において対向する（対向流が形成される）こととなる。
【００５１】
また、この除湿装置３ａでは、冷却用コアＣ２５ａの上記の他方の面と、加熱用コアＣ２３ｂの一方の面（同図における左方の面）とが仕切板１６を挟んで対向するように蒸発器２５ａおよび凝縮器２３ｂが配設されると共に、仕切板１６と、加熱用コアＣ２３ｂの一方の面との間に空間Ｓａが形成されている。さらに、この除湿装置３ａでは、背板１５において加熱用コアＣ２３ｂの他方の面における下方部位と対向する位置に排出口１５ａが形成され、この排出口１５ａに送風機４ａが取り付けられている。これにより、この除湿装置３ａでは、通気口１６ａから空間Ｓａに排出された空気が加熱用コアＣ２３ｂを矢印Ｂａで示すように通過させられて排出口１５ａからケーシング１０の外部に排出されるようにケーシング１０内に導風路が形成されている。
【００５２】
送風機４ａは、「送風機」の一例であって、上記したように、除湿装置３ａにおけるケーシング１０の排出口１５ａに取り付けられると共に、コントローラ５の制御に従ってケーシング１０内の空気を吸引することにより、ケーシング１０の外部の空気（または、供給対象から回収した空気）を開口部１４ａからケーシング１０内に吸引し、蒸発器２５ａ（冷却用コアＣ２５ａ）を通過させた後に、空間Ｓａおよび凝縮器２３ｂ（加熱用コアＣ２３ｂ）をこの順で通過させて供給対象に供給する。
【００５３】
また、送風機４ｂは、上記したように、熱交換装置３ｂにおけるケーシング３０の排出口３５ａに取り付けられると共に、コントローラ５の制御に従ってケーシング３０内の空気を吸引することにより、ケーシング３０の外部の空気を開口部３４ａからケーシング３０内に吸引し、蒸発器２５ｂ（冷却用コアＣ２５ｂ）を通過させた後に、空間Ｓｂおよび凝縮器２３ａ（加熱用コアＣ２３ａ）をこの順で通過させて大気に解放する。
【００５４】
コントローラ５は、温調除湿システム１を総括的に制御する。具体的には、コントローラ５は、送風機４ａを制御して除湿装置３ａ（ケーシング１０）内に空気を吸引させると共に、送風機４ｂを制御して熱交換装置３ｂ（ケーシング３０）内に空気を吸引させる。また、コントローラ５は、圧縮機２１を制御して冷媒を圧縮（圧送）させると共に、調整弁２２ａを制御して圧縮機２１から凝縮器２３ａへの冷媒の流量を調整させ、かつ調整弁２２ｂを制御して圧縮機２１から凝縮器２３ｂへの冷媒の流量を調整させる。
【００５５】
次に、温調除湿システム１によって除湿温調した空気を供給対象に供給する際の各部の動作について、添付図面を参照して説明する。
【００５６】
この温調除湿システム１では、図示しない操作部のスタートスイッチが操作されたときに、コントローラ５がヒートポンプ２の動作を開始させる。この際には、圧縮機２１によって圧縮された冷媒の一部が調整弁２２ａを通過して熱交換装置３ｂの凝縮器２３ａに供給される。また、熱交換装置３ｂにおいては、圧縮機２１から圧送された高温高圧の冷媒が凝縮器２３ａにおける加熱用コアＣ２３ａのチューブＴに対して下側端部Ｔｂから導入され、この冷媒が、図３に示す矢印Ｕｂの向きで上側端部Ｔａ（凝縮器２３ａの上方）に向かってチューブＴ内を移動させられる間に、チューブＴおよび各フィンＦを介して周囲の空気と熱交換させられて冷却される。これにより、チューブＴ内に供給された冷媒が凝縮させられる。
【００５７】
また、凝縮器２３ａにおいて凝縮された冷媒は、膨張弁２４ａを通過させられた後に除湿装置３ａの蒸発器２５ａに供給される。この際に、除湿装置３ａにおいては、膨張弁２４ａを通過させられた冷媒が蒸発器２５ａにおける冷却用コアＣ２５ａのチューブＴに対して上側端部Ｔａから導入され、この冷媒が、図２に示す矢印Ｄａの向きで下側端部Ｔｂ（蒸発器２５ａの下方）に向かってチューブＴ内を移動させられる間に、チューブＴおよび各フィンＦを介して周囲の空気と熱交換させられて温度上昇させられると共に、チューブＴおよび各フィンＦの周囲の空気が冷却される。さらに、蒸発器２５ａ内において周囲の空気と熱交換させられて温度上昇した冷媒は、圧縮機２１に吸引されて再び圧縮される。
【００５８】
一方、圧縮機２１によって圧縮された冷媒の他の一部は、調整弁２２ｂを通過して除湿装置３ａの凝縮器２３ｂに供給される。また、除湿装置３ａにおいては、圧縮機２１から圧送された高温高圧の冷媒が凝縮器２３ｂにおける加熱用コアＣ２３ｂのチューブＴに対して下側端部Ｔｂから導入され、この冷媒が、図２に示す矢印Ｕａの向きで上側端部Ｔａ（凝縮器２３ｂの上方）に向かってチューブＴ内を移動させられる間に、チューブＴおよび各フィンＦを介して周囲の空気と熱交換させられて冷却される。これにより、チューブＴ内において冷媒が凝縮させられると共に、チューブＴおよび各フィンＦの周囲の空気が加熱される。
【００５９】
また、凝縮器２３ｂにおいて凝縮された冷媒は、膨張弁２４ｂを通過させられた後に熱交換装置３ｂの蒸発器２５ｂに供給される。この際に、熱交換装置３ｂにおいては、膨張弁２４ｂを通過させられた冷媒が蒸発器２５ｂにおける冷却用コアＣ２５ｂのチューブＴに対して上側端部Ｔａから導入され、この冷媒が、図３に示す矢印Ｄｂの向きで下側端部Ｔｂ（蒸発器２５ｂの下方）に向かってチューブＴ内を移動させられる間に、チューブＴおよび各フィンＦを介して周囲の空気と熱交換させられて温度上昇させられると共に、チューブＴおよび各フィンＦの周囲の空気が冷却される。さらに、蒸発器２５ｂ内において周囲の空気と熱交換させられて温度上昇した冷媒は、圧縮機２１に吸引されて再び圧縮される。
【００６０】
また、コントローラ５は、ヒートポンプ２の動作開始と同時に（または、ヒートポンプ２の動作開始から規定時間が経過した際に）送風機４ａ，４ｂの動作を開始させる。この際に、除湿装置３ａにおいては、ケーシング１０の排出口１５ａに取り付けられている送風機４ａがケーシング１０内の空気を吸引することにより、ケーシング１０の外部の空気（または、供給対象から回収した空気）が開口部１４ａからケーシング１０内に導入される。また、ケーシング１０内に吸引された空気は、上記したように、蒸発器２５ａにおける冷却用コアＣ２５ａのチューブＴおよび各フィンＦの間を通過させられる際にチューブＴ内の冷媒と熱交換させられて冷却されて、空間Ｓａに排出される。
【００６１】
この際に、開口部１４ａから導入された空気がある程度の水分を含んでいるときには、この空気が蒸発器２５ａよって冷却されることで空気中に含まれている水分が結露水（ドレン水）として空気から除去される（除湿される）。これにより、通気口１６ａから空間Ｓａに排出される空気（蒸発器２５ａによる冷却が完了した空気）が低温低湿状態となる。また、蒸発器２５ａにおいて生じた結露水（ドレン水）は、各フィンＦを伝って蒸発器２５ａの下端部に流れ落ち、底板１１に形成されている図示しないドレン排出口からケーシング１０の外部に排出される。
【００６２】
さらに、空間Ｓａに排出された低温低湿の空気は、上記したように、凝縮器２３ｂにおける加熱用コアＣ２３ｂのチューブＴおよび各フィンＦの間を通過させられる際にチューブＴ内の冷媒と熱交換させられて目標温度範囲内の温度まで加熱された後に排出口１５ａからケーシング１０の外部に排出される。これにより、供給対象に供給すべき空気の除湿装置３ａによる除湿および温調が完了し、ケーシング１０から排出された空気が送風機４ａによって供給対象に向けて送風される。
【００６３】
一方、熱交換装置３ｂにおいては、ケーシング３０の排出口３５ａに取り付けられている送風機４ｂがケーシング３０内の空気を吸引することにより、ケーシング３０の外部の空気が開口部３４ａからケーシング３０内に導入される。また、ケーシング３０内に吸引された空気は、上記したように、蒸発器２５ｂにおける冷却用コアＣ２５ｂのチューブＴおよび各フィンＦの間を通過させられる際にチューブＴ内の冷媒と熱交換させられて冷却されて空間Ｓｂに排出される。なお、開口部３４ａから導入された空気がある程度の水分を含んでいるときには、この空気が蒸発器２５ｂよって冷却されることで空気中に含まれている水分が結露水（ドレン水）として空気から除去される（除湿される）が、この蒸発器２５ｂは、除湿を目的として空気の冷却する熱交換器ではないため、蒸発器２５ｂにおける除湿に関する説明を省略する。
【００６４】
また、空間Ｓｂに排出された低温の空気は、上記したように、凝縮器２３ａにおける加熱用コアＣ２３ａのチューブＴおよび各フィンＦの間を通過させられる際にチューブＴ内の冷媒と熱交換して温度上昇させられて、排出口３５ａからケーシング３０の外部に排出される。また、凝縮器２３ａにおける上記の熱交換により、加熱用コアＣ２３ａにおけるチューブＴ内の冷媒（圧縮機２１から圧送された高温高圧の冷媒）が冷却される結果、除湿装置３ａの蒸発器２５ａに供給すべき十分な量の冷媒が凝縮器２３ａにおいて凝縮される。
【００６５】
この場合、本例の温調除湿システム１における除湿装置３ａでは、前述したように、蒸発器２５ａにおける冷却用コアＣ２５ａの一方の面（図２に示す左方の面：冷却対象の空気が導入される側の面）の上方部位を閉塞するようにして邪魔板１４が配設されると共に、冷却用コアＣ２５ａの他方の面（図２に示す右方の面：冷却を完了した空気が排出される側の面）の下方部位を閉塞するようにして仕切板１６が配設されている。このため、本例の除湿装置３ａでは、邪魔板１４と底板１１との間の開口部１４ａから導入された空気が、図２に矢印Ａａで示すように冷却用コアＣ２５ａ内を上方に向かって移動して仕切板１６と天板１２との間の通気口１６ａから空間Ｓａに排出されることとなる。
【００６６】
したがって、本例の除湿装置３ａでは、例えば、開口部１４ａから吸引される空気の温度が高いときや、空気の量が多いとき、すなわち、蒸発器２５ａにかかる負担が大きいときに、冷却用コアＣ２５ａの下方部位において空気を好適に冷却するのが困難な状態となったとしても、冷却が不十分な空気が冷却用コアＣ２５ａの上方部位に達した際に十分に冷却されて除湿される結果、通気口１６ａから空間Ｓａに排出される空気を目標とする湿度範囲内の湿度とすることが可能となっている。
【００６７】
この場合、本例の除湿装置３ａとは異なり、「第１の風向規制板」の「第１の長さ」と「第２の風向規制板」の「第２の長さ」との和が「冷却用コア」の「第３の長さ」よりも短く形成されている「冷却装置」では、「第１の風向規制板」における下端部側部位と「第２の風向規制板」における上端部側部位とが「冷却用コア」の厚み方向で重ならない状態となる。かかる構成においては、「蒸発器」において冷却すべき空気が、「第１の風向規制板」における下端部側部位と「第２の風向規制板」における上端部側部位との間（両風向規制板が存在しない部位）において、「冷却用コア」の一方の面から他方の面に向かって「冷却用コア」の厚み方向で「冷却用冷媒配管」および「冷却用フィン」の間を通過するおそれがあり、本例の除湿装置３ａのような冷却用コアＣ２５ａの上方に向かう空気の流れを生じさせるのが困難となる。
【００６８】
これに対して、本例の除湿装置３ａでは、前述したように、邪魔板３４における下端部側部位と仕切板３６における上端部側部位とが冷却用コアＣ２５ｂの厚み方向で重なるように邪魔板３４および仕切板３６が配設されている。これにより、蒸発器２５ａにおいて冷却すべき空気が、冷却用コアＣ２５ａの一方の面から他方の面に向かって冷却用コアＣ２５ａの厚み方向でチューブＴおよび各フィンＦの間を通過する事態が回避されて、上記したように、冷却用コアＣ２５ａの上方に向かう空気の流れを好適に生じさせることが可能となっている。
【００６９】
一方、前述した従来の除湿加温装置３ｘでは、蒸発器２１ｘを通過させられる際に空気中の水分がドレン水（結露水）として除去され、このドレン水がフィンＦｘを伝ってドレンパン１７０ｘに滴り落ちてドレン水排出口から除湿加温装置３ｘの外に排水される構成が採用されている。しかしながら、従来の除湿加温装置３ｘでは、例えば、風回路２３ｘを介して送風される空気の量が多いとき（蒸発器２１ｘを通過する空気の速度が速いとき）や、蒸発器２１ｘを通過させられる空気が大量の水分を含んでいるとき（高湿度のとき）に、蒸発器２１ｘの上方部位において生じたドレン水が、蒸発器２１ｘの下端部まで滴り落ちる前にフィンＦｘから離脱し、このドレン水が空気の流れに乗って凝縮器２０ｘに到達することがある。この際には、高温の凝縮器２０ｘにドレン水が接して揮発させられる結果、蒸発器２１ｘにおいて除湿しているにも拘わらず、凝縮器２０ｘを通過させられて供給対象に供給される空気の湿度が上昇するという事態となる。
【００７０】
これに対して、本例の温調除湿システム１（除湿装置３ａ）では、蒸発器２５ａの冷却用コアＣ２５ａにおける他方の面（空気が排出される側の面）に仕切板１６が配設されて冷却用コアＣ２５ａの下端部側部位が仕切板１６によって閉塞されている。したがって、蒸発器２５ａ（冷却用コアＣ２５ａ）の上方部位において大量のドレン水が生じたとしても、このドレン水が蒸発器２５ａ（冷却用コアＣ２５ａ）の下方に向かってフィンＦを伝って滴り落ちている間にフィンＦから離脱して凝縮器２３ｂ側（蒸発器２５ａと凝縮器２３ｂとの間の空間Ｓａ）に排出される事態が回避される。
【００７１】
この場合、前述したように、本例の温調除湿システム１（除湿装置３ａ）では、仕切板１６の長さＬ２ａが邪魔板１４の長さＬ１ａよりも長い十分な長さ、具体的には、冷却用コアＣ２５ａの長さＬ３ａの１／２以上の長さに形成されているため、冷却用コアＣ２５ａに生じたドレン水が凝縮器２３ｂ側（空間Ｓａ）に排出される事態がより確実に回避されている。
【００７２】
また、本例の温調除湿システム１における除湿装置３ａでは、前述したように、蒸発器２５ａにおける冷却用コアＣ２５ａの他方の面に配設された仕切板１６と、凝縮器２３ｂにおける加熱用コアＣ２３ｂの一方の面（図２に示す左方の面：加熱対象の空気が導入される側の面）との間に空間Ｓａが設けられている。この場合、本例の除湿装置３ａとは相違するが、「第２の風向規制板」と「加熱器（加熱用コア）」との間に空間を生じさせずに「第２の風向規制板」と「加熱器（加熱用コア）」とを密着させて配置したときには、「第２の風向規制板」の上方部位から排出された空気が「加熱器（加熱用コア）」の上方部位に進入するものの、「加熱器（加熱用コア）」の下方部位には、「第２の風向規制板」の上方部位から排出された空気が進入しない事態を招くおそれがある。
【００７３】
これに対して、本例の除湿装置３ａでは、仕切板１６の上方部位（通気口１６ａ）から空間Ｓａに排出された空気が空間Ｓａの上方部位から下方部位の全域に亘って拡がる結果、図２に矢印Ｂａで示すように、凝縮器２３ｂ（加熱用コアＣ２３ｂ）の一方の面における上方部位から下方部位までの全域から加熱用コアＣ２３ｂのチューブＴおよび各フィンＦの間に空気を進入させて、これを好適に加熱することが可能となっている。
【００７４】
また、本例の除湿装置３ａでは、前述したように、背板１５において凝縮器２３ｂ（加熱用コアＣ２３ｂ）の下方部位と対向する位置に排出口１５ａが設けられている。したがって、通気口１６ａから空間Ｓａの上方部位に排出された空気が加熱用コアＣ２３ｂの下方部位に到達することなくケーシング１０から排出される事態が回避される。これにより、供給対象に供給すべき空気を凝縮器２３ｂによって目標温度範囲内の温度まで確実に加熱することが可能となっている。
【００７５】
さらに、本例の温調除湿システム１における熱交換装置３ｂでは、前述したように、蒸発器２５ｂにおける冷却用コアＣ２５ｂの一方の面（図３に示す右方の面：冷却対象の空気が導入される側の面）の上方部位を閉塞するようにして邪魔板３４が配設されると共に、冷却用コアＣ２５ｂの他方の面（図３に示す左方の面：冷却を完了した空気が排出される側の面）の下方部位を閉塞するようにして仕切板３６が配設されている。このため、本例の熱交換装置３ｂでは、邪魔板３４と底板３１との間の開口部３４ａから導入された空気が、図３に矢印Ａｂで示すように冷却用コアＣ２５ｂ内を上方に向かって移動して仕切板３６と天板３２との間の通気口３６ａから空間Ｓｂに排出されることとなる。
【００７６】
したがって、本例の熱交換装置３ｂでは、例えば、開口部３４ａから吸引される空気の温度が高いとき、すなわち、蒸発器２５ｂにかかる負担が大きいときや、蒸発器２５ｂに供給される冷媒の量が少ないとき（除湿装置３ａの蒸発器２５ａにおいて必要とされる冷媒の量が多いとき）に、冷却用コアＣ２５ｂの下方部位において空気を好適に冷却するのが困難な状態となったとしても、冷却が不十分な空気が冷却用コアＣ２５ｂの上方部位に達した際に十分に冷却される結果、通気口３６ａから空間Ｓｂに排出される空気の温度を、凝縮器２３ａにおいて冷媒を好適に凝縮させ得る目標温度範囲内の十分に低い温度とすることが可能となっている。
【００７７】
また、本例の熱交換装置３ｂでは、前述したように、蒸発器２５ｂにおける冷却用コアＣ２５ｂの他方の面に配設された仕切板３６と、凝縮器２３ａにおける加熱用コアＣ２３ａの一方の面（図３に示す右方の面：冷媒の凝縮効率を向上させるための空気が導入される側の面）との間に空間Ｓｂが設けられている。これにより、本例の熱交換装置３ｂでは、仕切板３６の上方部位（通気口３６ａ）から空間Ｓｂに排出された空気が空間Ｓｂの上方部位から下方部位の全域に亘って拡がる結果、図３に矢印Ｂｂで示すように、凝縮器２３ａ（加熱用コアＣ２３ａ）の一方の面における上方部位から下方部位までの全域から加熱用コアＣ２３ａのチューブＴおよび各フィンＦの間に空気を進入させ、これにより、チューブＴの下側端部Ｔｂから上側端部Ｔａまでの全域において冷媒を好適に冷却して凝縮させることが可能となっている。
【００７８】
また、本例の熱交換装置３ｂでは、前述したように、背板３５において凝縮器２３ａ（加熱用コアＣ２３ａ）の下方部位と対向する位置に排出口３５ａが設けられている。したがって、通気口３６ａから空間Ｓｂの上方部位に排出された空気が加熱用コアＣ２３ａの下方部位に到達することなくケーシング３０から排出される事態が回避される。これにより、加熱用コアＣ２３ａにおいてチューブＴ内の冷媒を確実に冷却して凝縮させて、除湿装置３ａの蒸発器２５ａに、必要量の冷媒を確実に供給することが可能となっている。
【００７９】
このように、この温調除湿システム１における「冷却装置」では、チューブＴの一端部（本例では、上側端部Ｔａ）がチューブＴの他端部（本例では、下側端部Ｔｂ）よりも上方に位置させられて冷却用の冷媒が蒸発器２５ａ，２５ｂの下方に向かってチューブＴ内を案内されるように蒸発器２５ａ，２５ｂが配置され、かつ上下方向の長さＬ１ａ，Ｌ１ｂが仕切板１６，３６の上下方向の長さＬ２ａ，Ｌ２ｂよりも短く形成された邪魔板１４，３４が冷却用コアＣ２５ａ，Ｃ２５ｂの一方の面における上方部位を閉塞するように配設されると共に、仕切板１６，３６が冷却用コアＣ２５ａ，Ｃ２５ｂの他方の面における下方部位を閉塞するように配設され、冷却用コアＣ２５ａ，Ｃ２５ｂの一方の面における下方部位（開口部１４ａ，３４ａ）からチューブＴおよびフィンＦの間に進入させられた空気が冷却用コアＣ２５ａ，Ｃ２５ｂ内を上方に向かって移動して冷却用コアＣ２５ａ，Ｃ２５ｂの他方の面における上方部位（通気口１６ａ，３６ａ）から空間Ｓａ，Ｓｂに排出されるように導風路が形成されている。
【００８０】
したがって、この温調除湿システム１における「冷却装置」によれば、蒸発器２５ａ，２５ｂにかかる負担が大きく、チューブＴにおける下側端部Ｔｂの近傍（冷却用コアＣ２５ａ，Ｃ２５ｂの下方部位）において空気を好適に冷却するのが困難な状態となったとしても、邪魔板１４，３４および仕切板１６，３６によって冷却用コアＣ２５ａ，Ｃ２５ｂの下方部位から上方部位に向かって空気が案内されるため、冷却用コアＣ２５ａ，Ｃ２５ｂの上方部位において空気を好適に冷却することができる。また、冷却用コアＣ２５ａ，Ｃ２５ｂの他方の面における下端部側部位に仕切板１６，３６を設けたことで、冷却用コアＣ２５ａ，Ｃ２５ｂによる冷却によってドレン水（結露水）が生じたときに、このドレン水が冷却用コアＣ２５ａ，Ｃ２５ｂの他方の面側に排出される事態を好適に回避することができる。
【００８１】
また、この温調除湿システム１における「冷却装置」によれば、仕切板１６，３６の長さＬ２ａ，Ｌ２ｂが冷却用コアＣ２５ａ，Ｃ２５ｂの上下方向の長さＬ３ａ，Ｌ３ｂの１／２以上となるように形成したことにより、冷却用コアＣ２５ａ，Ｃ２５ｂの一方の面からチューブＴおよびフィンＦの間に進入させられた空気を冷却用コアＣ２５ａ，Ｃ２５ｂの上方に向かって確実に案内することができる。
【００８２】
さらに、この温調除湿システム１における「冷却装置」では、上記の長さＬ１ａと上記の長さＬ２ａとの和が上記の長さＬ３ａよりも長くなるように邪魔板１４および仕切板１６が形成されると共に、邪魔板１４における下端部側部位と仕切板１６における上端部側部位とが冷却用コアＣ２５ａの厚み方向で長さＬ４ａだけ重なるように邪魔板１４および仕切板１６が配設され、上記の長さＬ１ｂと上記の長さＬ２ｂとの和が上記の長さＬ３ｂよりも長くなるように邪魔板３４および仕切板３６が形成されると共に、邪魔板３４における下端部側部位と仕切板３６における上端部側部位とが冷却用コアＣ２５ｂの厚み方向で長さＬ４ｂだけ重なるように邪魔板３４および仕切板３６が配設されている。
【００８３】
したがって、この温調除湿システム１における「冷却装置」によれば、冷却用コアＣ２５ａ，Ｃ２５ｂの一方の面からチューブＴおよびフィンＦの間に進入させられた空気が冷却用コアＣ２５ａ，Ｃ２５ｂの厚み方向で冷却用コアＣ２５ａ，Ｃ２５ｂを通過して他方の面に排出される事態を招くことなく、チューブＴおよびフィンＦの間を冷却用コアＣ２５ａ，Ｃ２５ｂの上方に向かって確実に移動させて他方の面側に排出させることができる。
【００８４】
また、この温調除湿システム１における除湿装置３ａでは、蒸発器２５ａにおける冷却用コアＣ２５ａの他方の面と、凝縮器２３ｂにおける加熱用コアＣ２３ｂの一方の面とが仕切板１６を挟んで対向するように蒸発器２５ａおよび凝縮器２３ｂが配設されている。また、この温調除湿システム１では、上記の除湿装置３ａと、蒸発器２５ａを備えて構成された「冷却装置」、および凝縮器２３ｂを備えて構成された「加熱装置」の順で通過するように空気を送風する送風機４ａとを備えている。したがって、この除湿装置３ａおよび温調除湿システム１によれば、冷却装置によって冷却除湿した空気を目的に応じて加熱装置によって加熱することで温度調整した状態で供給対象体に供給することができる。
【００８５】
さらに、この温調除湿システム１における除湿装置３ａによれば、チューブＴの一端部（本例では、下側端部Ｔｂ）をチューブＴの他端部（本例では、上側端部Ｔａ）よりも下方に位置させて加熱用の冷媒が凝縮器２３ｂの上方に向かってチューブＴ内を案内されるように凝縮器２３ｂを配置すると共に、邪魔板１４において加熱用コアＣ２３ｂの他方の面における下方部位と対向する位置に凝縮器２３ｂによって加熱した空気を排出する排出口１５ａを形成したことにより、凝縮器２３ｂ（加熱用コアＣ２３ｂ）の上端部から下端部までの全域において、チューブＴ内の冷媒と、チューブＴおよび各フィンＦの周囲の空気との間で好適に熱交換させ、処理対象の空気を確実に加熱することができる。
【００８６】
また、この温調除湿システム１における除湿装置３ａによれば、仕切板１６と凝縮器２３ｂの一方の面との間に空間Ｓａを形成したことにより、仕切板１６の上方（通気口１６ａ）から空間Ｓａに排出された空気が空間Ｓａの上方部位から下方部位の全域に拡がった後に凝縮器２３ｂ（加熱用コアＣ２３ｂ）のチューブＴおよび各フィンＦの間に進入させられるため、加熱用コアＣ２３ｂの上方部位から下方部位までの全域においてチューブＴ内の冷媒とチューブＴおよび各フィンＦの周囲の空気との間で好適に熱交換させ、処理対象の空気を一層確実に加熱することができる。
【００８７】
さらに、この温調除湿システム１における除湿装置３ａによれば、仕切板１６における上端部側部位を加熱用コアＣ２３ｂに向けて折り曲げたことにより、蒸発器２５ａ（冷却用コアＣ２５ａ）による冷却を完了した空気を空間Ｓａ内にスムーズに排出することができる。
【００８８】
なお、「冷却装置」、「温調装置」および「温調除湿システム」の構成は、上記の温調除湿システム１の構成の例に限定されるものではない。
【００８９】
例えば、ヒートポンプ２の蒸発器２５ａやケーシング１０などによって構成した「冷却装置」の例、並びに、この「冷却装置」およびヒートポンプ２の凝縮器２３ｂなどによって構成した「温調装置」の例について説明したが、「冷却装置」や「温調装置」を構成する「蒸発器（冷却器）」および「凝縮器（加熱器）」を構成する冷凍サイクル（ヒートポンプ）の回路構成は、ヒートポンプ２のような回路構成に限定されるものではない。具体的には、図４に示す温調除湿システム１Ａ（「温調除湿システム」の他の一例）におけるヒートポンプ２ａのような回路構成を採用することができる。なお、この温調除湿システム１Ａ（ヒートポンプ２ａ）において前述した温調除湿システム１Ａ（ヒートポンプ２）と同様の構成要素については、同一の符号を付して重複する説明を省略する。
【００９０】
温調除湿システム１Ａのヒートポンプ２ａでは、前述したヒートポンプ２における膨張弁２４ｂおよび蒸発器２５ｂが存在せず、除湿装置３ａの凝縮器２３ｂが膨張弁２４ａを介して蒸発器２５ａに接続されている。また、この温調除湿システム１Ａでは、温調除湿システム１における熱交換装置３ｂに代えて、冷媒の熱を大気に放熱する凝縮器２３ａを備えて構成した熱交換装置３ｃ（大気と冷媒との間で熱交換させる装置）が配設されている。このような回路構成を採用したヒートポンプ２ａを備えた温調除湿システム１Ａにおいても、除湿装置３ａが、前述した温調除湿システム１の除湿装置３ａと同様に構成されているため、温調除湿システム１の除湿装置３ａにおける「冷却装置」によって奏される効果と同様の効果を奏することができる。
【００９１】
また、「第１の風向規制板」に相当する邪魔板１４における下端部側部位と、「第２の風向規制板」に相当する仕切板１６における上端部側部位とが、冷却用コアＣ２５ａの厚み方向で長さＬ４ａだけ重なるように邪魔板１４および仕切板１６が配設されている除湿装置３ａ、および「第１の風向規制板」に相当する邪魔板３４における下端部側部位と、「第２の風向規制板」に相当する仕切板３６における上端部側部位とが、冷却用コアＣ２５ｂの厚み方向で長さＬ４ｂだけ重なるように邪魔板３４および仕切板３６が配設されている熱交換装置３ｂを例に挙げて、「冷却装置」や「温調装置」の構成の具体例を説明したが、「冷却装置」や「温調装置」の構成は、上記の除湿装置３ａや熱交換装置３ｂの構成の例に限定されない。
【００９２】
例えば、図５に示す除湿装置３ｄは、温調除湿システム１，１Ａにおける除湿装置３ａに代えて使用可能な「温調装置」の他の一例であって、「第１の風向規制板」に相当する邪魔板１４の長さＬ１ｄ（「第１の長さ」の他の一例）が、除湿装置３ａにおける邪魔板１４の長さＬ１ａよりもやや短く、かつ「第２の風向規制板」に相当する仕切板１６の長さＬ２ｄ（「第２の長さ」の他の一例）が、除湿装置３ａにおける仕切板１６の長さＬ２ａよりもやや短く形成されている点を除き、除湿装置３ａと同様に構成されている。なお、こお除湿装置３ｄにおいて除湿装置３ａと同様の機能有する構成要素については、同一の符号を付して重複する説明を省略する。
【００９３】
この除湿装置３ｄでは、邪魔板１４の長さＬ１ｄと仕切板１６の長さＬ２ｄとの和が冷却用コアＣ２５ａの長さＬ３ａ（第３の長さ）よりも短くなるように形成されている。また、この除湿装置３ｄでは、邪魔板１４における下端部側部位と仕切板１６における上端部側部位とが冷却用コアＣ２５ａの厚み方向（同図における左右方向）で重ならない領域が長さＬ５ｄだけ生じるように邪魔板１４および仕切板１６が配設されている。この除湿装置３ｄでは、仕切板１６の長さＬ２ｄが冷却用コアＣ２５ａの上下方向の長さＬ３ａの１／２以上となるように形成されているため、蒸発器２５ａにかかる負担が大きく、チューブＴにおける下側端部Ｔｂの近傍（冷却用コアＣ２５ａの下方部位）において空気を好適に冷却するのが困難な状態となったとしても、邪魔板１４および仕切板１６によって冷却用コアＣ２５ａの下方部位から上方部位に向かって矢印Ａａで示すように空気が案内される結果、冷却用コアＣ２５ａの上方部位において空気を好適に冷却することができる。
【００９４】
また、この除湿装置３ｄでは、前述した除湿装置３ａと同様にして、冷却用コアＣ２５ａの他方の面における下端部側部位に仕切板１６を設けたことで、冷却用コアＣ２５ａによる冷却によってドレン水（結露水）が生じたときに、このドレン水が冷却用コアＣ２５ａの他方の面側に排出される事態を好適に回避することができる。なお、図示および説明を省略するが、温調除湿システム１における熱交換装置３ｂに代えて、上記の除湿装置３ｄと同様の「第１の風向規制板」および「第２の風向規制板」を設けた熱交換装置を配設することで、熱交換装置３ｂを備えた温調除湿システム１と同様の効果を奏することができる。
【００９５】
さらに、「冷却装置」および「加熱装置」を一体的に組み合わせた除湿装置３ａ，３ｄおよび熱交換装置３ｂの構成を例に挙げて説明したが、「冷却装置」を単体で構成する場合においても、「冷却用コア」の一方の面に「第１の風向規制板」を配設し、かつ「冷却用コア」の他方の面に「第２の風向規制板」を配設することで、上記の除湿装置３ａや熱交換装置３ｂにおける「冷却装置」において奏される効果と同様の効果を奏することができる。具体的には、図６に示す冷却装置３ｅは、一例として、前述した除湿装置３ａ，３ｄにおける「冷却装置」と同様に構成され、除湿装置３ａ，３ｄにおける凝縮器２３ｂが存在せず、かつ、ケーシング１０に代えてケーシング４０を備えている点を除き、除湿装置３ａ，３ｄと同様に構成されている。なお、この冷却装置３ｅにおいて除湿装置３ａ，３ｄの各構成要素と同様の機能を有する構成要素については、同一の符号を付して重複する説明を省略する。
【００９６】
この場合、ケーシング４０は、ケーシング１０における底板１１、天板１２および側板１３に代えて、底板４１、天板４２および図示しない側板を備えると共に、ケーシング１０における仕切板１６に代えて「第２の風向規制板」の他の一例である背板４５が蒸発器２５ａにおける冷却用コアＣ２５ａの他方の面に配設されて背板４５の上方（背板４５と天板４２との間）に排出口４５ａが形成されている。また、この冷却装置３ｅにおける邪魔板１４および背板４５の長さや配置については、同図に示すように、除湿装置３ａの邪魔板１４および仕切板１６の配置や長さと同様となっている。したがって、この冷却装置３ｅによれば、除湿装置３ａにおける「冷却装置（蒸発器２５ａ、邪魔板１４および仕切板１６等からなる装置）」と同様にして冷却用コアＣ２５ａの上方に向かう空気の流れが生じるため、除湿装置３ａにおける「冷却装置」によって奏される効果と同様の効果を奏することができる。
【００９７】
また、「冷却用冷媒配管」や「加熱用冷媒配管」として螺旋状に形成されたチューブＴを有する構成を例に挙げて説明したが、このような構成に代えて、葛折り状に形成されたチューブを「冷却用冷媒配管」や「加熱用冷媒配管」として採用することもできる（図示せず）。さらに、空気の流動方向における下流側に送風機４ａ，４ｂを配設した構成を例に挙げて説明したが、空気の流動方向における上流側（除湿装置３ａ、熱交換装置３ｂおよび冷却装置３ｅにおける開口部１４ａ，３４ａ等）に「送風機」を配設する構成を採用することもできる（図示せず）。
【符号の説明】
【００９８】
１，１Ａ  温調除湿システム
２，２ａ  ヒートポンプ
３ａ，３ｄ  除湿装置
３ｂ，３ｃ  熱交換装置
３ｅ  冷却装置
４ａ，４ｂ  送風機
５  コントローラ
１０，３０，４０  ケーシング
１１，３１，４１  底板
１２，３２，４２  天板
１３，３３  側板
１４，３４  邪魔板
１４ａ，３４ａ  開口部
１５，３５，４５  背板
１５ａ，３５ａ，４５ａ  排出口
１６，３６  仕切板
１６ａ，３６ａ  通気口
２１  圧縮機
２２ａ，２２ｂ  調整弁
２３ａ，２３ｂ  凝縮器
２４ａ，２４ｂ  膨張弁
２５ａ，２５ｂ  蒸発器
Ｃ２３ａ，Ｃ２３ｂ  加熱用コア
Ｃ２５ａ，Ｃ２５ｂ  冷却用コア
Ｆ  フィン
Ｌ１ａ〜Ｌ４ａ，Ｌ１ｂ〜Ｌ４ｂ，Ｌ１ｄ，Ｌ２ｄ，Ｌ５ｄ  長さ
Ｓａ，Ｓｂ  空間
Ｔ  チューブ
Ｔａ  上側端部
Ｔｂ  下側端部
【図１】
2015055416.tif 000003
【図２】
2015055416.tif 000004
【図３】
2015055416.tif 000005
【図４】
2015055416.tif 000006
【図５】
2015055416.tif 000007
【図６】
2015055416.tif 000008
【図７】
2015055416.tif 000009